(57)【要約】【課題】  ジョブ属性設定のためのユーザ識別手順と、課金のためのユーザ識別手順を独立で処理可能な画像形成装置であって、各ジョブ属性に応じて、課金対象のユーザに課金／カウンタ管理を行う画像形成装置を実現する。【解決手段】  集中管理サーバとは別個に、ユーザ間で容易に一時的なアクセス権限の委譲を行えるように構成する。この際の課金対象は、どのユーザに対して行うべきかが状況によって異なるため、状況に応じて適切に課金対象を切り替えることを課題とし、認証操作を複数回行って課金対象とジョブ設定権をそれぞれ反映する構成とする。【選択図】  図６
2009012393.tif 000002
【特許請求の範囲】
【請求項１】
画像形成に関る複数の画像処理機能と、
各画像形成機能を設定する為の表示装置と、
入力装置を用いた対話型の操作設定手段と、
原稿を読み取りあるいは受信して、前記画像処理手段により、処理された画情報を入力する、画像入力手段と、
該画情報を蓄積する蓄積手段と、
前記画像処理機能により処理された画像を形成して出力する画像出力手段と、
装置内の各部の動作制御を司る制御手段と、
を有し、
ジョブを生成するためのオペレーションを行うユーザを識別するジョブ実行ユーザ識別手段と、
当該ジョブを実行した際の課金の対象となるユーザを識別する課金対象ユーザ識別手段と、
前記課金対象ユーザ識別手段により、識別されたユーザに、前記ジョブ実行ユーザ識別手段により、識別されたジョブ実行ユーザの権限を持つジョブ実行の課金情報を設定する、課金対象設定手段を有することを特徴とする画像形成装置。
【請求項２】
前記請求項１記載の画像形成装置において、前記ユーザ識別手段によって識別されたユーザ毎に、ジョブを作成する際のジョブ属性の設定できる範囲を制限するための情報を保持する、ユーザ毎ジョブ属性制限情報保持手段をさらに有し、
前記操作設定手段は、前記ユーザ毎ジョブ属性制限保持手段の保持する、制限情報に従って、ジョブ属性を設定することを制限することを特徴とする画像形成装置。
【請求項３】
前記請求項１，２に記載の画像形成装置において、
ジョブ属性制限とは、カラーモードの設定、片面出力の設定、レイアウト出力の設定、画像保存設定、フォーム合成出力の設定、他ユーザの文書出力設定を含むことを特徴とする画像形成装置。
【請求項４】
前記請求項１，２，３に記載の画像形成装置において、
前記課金対象ユーザ識別手段は、第一の認証ステップにおいて行われ、前記ジョブ実行ユーザ識別手段は、第二の認証ステップにおいて行われることを特徴とする画像形成装置。
【請求項５】
前記請求項４に記載の画像形成装置において、
第一の認証ステップにおいて認証実行後、所定の時間以内に、第二の認証ステップが行われない場合には、前記第一の認証ステップの認証結果は、前記ジョブ実行ユーザ識別手段を兼ねることを特徴とする画像形成装置。
【請求項６】
前記請求項４に記載の画像形成装置において、
第一の認証ステップにおいて認証実行後、ジョブ属性の設定および出力文書の特定が完了した後に、第二の認証ステップが行われた場合には、ジョブ属性の変更や出力文書の変更が行えず、前記第一の認証ステップの認証結果は、前記ジョブ実行ユーザ識別手段を兼ねることを特徴とする画像形成装置。
【発明の詳細な説明】
【技術分野】
【０００１】
本発明は認証機構、特に非接触型ＩＣカードによる認証と、課金管理を行うコピー機、プリント装置、スキャナ装置やコンピュータ等の情報処理装置を用いた情報処理サービスシステム、情報格納装置、承認装置、情報処理装置、情報処理サービス方法および記録媒体に関する。
【背景技術】
【０００２】
従来、コピー機やプリント装置を利用する場合の課金／カウンタ管理では、カラーモードや出力ページ数によって課金が算出される。従って、ここに一定の制限を加えたい場合には、特開２００５−２６６６９９のように、ユーザ認証を行って、認証されたユーザが所定の処理に対して実行権限を有するか否かを判定するような提案がなされている。
【０００３】
ユーザ毎に認証し、パーソナライズされた環境を与えるためには、「どのユーザにどのようなリソースに対して、どこまでアクセス権限をもたせるのか」といったポリシーを、事前に、集中管理サーバ等に設定しておく必要がある。しかしながら文書やフォルダ、または特定機能へのアクセス権限を持たないユーザに対して、アクセス権限を持つユーザが、一時的に、特定条件下でのジョブ実行の際に、アクセス権限を委譲したいことがある。
【０００４】
このような場合に、従来の技術では、集中管理サーバの管理者にアクセスし、一時的な権限の書き換えを要求する必要があり、管理者の負担が大きいだけでなく、リソースの特定、権限の範囲、利用時間の範囲など詳細な情報の伝達のために、多くのコストが必要となってしまう。そこで、特開２００５−１５７８８１のようにネットワーク上で、権限委譲操作が行えるように構成することが提案されている。このように遠隔からユーザレベルで権限委譲できるように構成した場合であっても、一時的なジョブ実行のために、権限変更操作を行うのは煩雑であり、また権限を元に戻す操作を怠るといった人的ミスにより、セキュリティホールを生じる懸念が大きい。
【特許文献１】特開２００５−２６６６９９号公報
【特許文献２】特開２００５−１５７８８１号公報
【発明の開示】
【発明が解決しようとする課題】
【０００５】
そこで、集中管理サーバとは別個に、ユーザ間で容易に一時的なアクセス権限の委譲を行えるように構成する。この際の課金対象は、どのユーザに対して行うべきかが状況によって異なるため、状況に応じて適切に課金対象を切り替えることを課題とする。
【課題を解決するための手段】
【０００６】
このような状況の中で上述したような課題を解決するため、本発明は以下の画像形成装置を提案する。
【０００７】
すなわち、
画像形成に関る複数の画像処理機能と、
各画像形成機能を設定する為の表示装置と、
入力装置を用いた対話型の操作設定手段と、
原稿を読み取りあるいは受信して、前記画像処理手段により、処理された画情報を入力する、画像入力手段と、
該画情報を蓄積する蓄積手段と、
前記画像処理機能により処理された画像を形成して出力する画像出力手段と、
装置内の各部の動作制御を司る制御手段と、
を有し、下記のステップでジョブ実行ユーザと、課金対象ユーザを識別することを特徴としている。
【０００８】
１．あるユーザAが所定の認証用カードを用いてユーザ認証を行う。
【０００９】
２．認証された状態で、ユーザAは、アクセスできる文書、フォルダ、機能が制限されている。
【００１０】
３．この状態で、権限を委譲されるユーザBの認証用カードで、認証操作を行う。
【００１１】
４．選択された文書・フォルダ、または特定機能に対するユーザBの権限を、ユーザAに使用させるか確認する。
【００１２】
５．ユーザAは、ジョブ属性の設定権と文書アクセス権についてユーザBのものが委譲され、ジョブを投入する。
【００１３】
６．アクセス制御テーブルなどに変更を加えずに、ユーザBの操作権限とユーザAの課金としてジョブを実行する。
【００１４】
７．ジョブが完了すると、委譲状態を解除する。
【００１５】
また、ステップ6において、課金用の認証ステップをさらに設け、課金認証用のユーザに対して課金する、という構成でもよい。
【００１６】
また第二の構成では、
１．あるユーザBが所定の認証用カードを用いてユーザ認証を行う。
【００１７】
２．認証された状態で、ユーザBは、アクセスできる文書、フォルダ、機能が制限されていない。
【００１８】
３．この状態で、出力対象の文書の選択、および出力に係るジョブの設定を行う。
【００１９】
４．ジョブ実行のオペレータであるユーザAの認証用カードで、認証操作を行う。
【００２０】
５．選択された文書・フォルダ、または特定機能に対するユーザBの権限を、ユーザAに使用させるか確認する。(この時点で他の文書や機能に対する設定権は無くなる)
６．ユーザAは、選択されたもののみ、ジョブ属性の設定権と文書アクセス権についてユーザBのものが委譲され、ジョブを投入する。
【００２１】
７．アクセス制御テーブルなどに変更を加えずに、ユーザBの操作権限とユーザBの課金としてジョブを実行する。
【００２２】
８．ジョブが完了すると、委譲状態を解除する。
【発明の効果】
【００２３】
本発明によれば、ユーザ毎のジョブ実行権、アクセス権と、課金・カウンタ管理とを分離し、ユーザ間で容易に一時的なアクセス権限の委譲を行えるようになり、アクセス権の管理コストを低減することができる。
【発明を実施するための最良の形態】
【００２４】
（実施例１）
図１は第１の実施の形態に係る画像形成装置の全体構成を示す図である。
【００２５】
画像形成装置は画像形成装置本体１５０と非接触ＩＣカードリーダ／ライタ３００から構成されている。画像形成装置本体１５０はスキャナ部１００とプリント部２００から構成され、画像形成装置本体１５０内の制御部１５によって制御されている。また非接触ＩＣカードリーダ／ライタ３００は、非接触ＩＣカード３５０から読み取る情報、または、非接触ＩＣカード３５０に書き込む情報の受け渡しを行う非接触ＩＣカードリード／ライト面３０１を備えており、非接触ＩＣカードリード／ライト面３０１に非接触ＩＣカード３５０を近づけることによって、非接触ＩＣカード３５０内に記録されている情報を読み取る、または、非接触ＩＣカード３５０に情報を書き込むことが可能となる。非接触ＩＣカード３５０が持つ情報には、個人認証情報や、課金時に使用するチャージ金額等が含まれるものとする。また非接触ＩＣカードリーダ／ライタ３００と画像形成装置本体１５０は画像形成装置１５０に取り付けられている非接触ＩＣカードリーダ／ライタＩ／Ｆ（ＩｎｔｅｒＦａｃｅ）３１０とケーブルによって接続され、通信処理を行っている。
【００２６】
図２は第１の実施の形態に係る画像形成装置のスキャナ部１００及びプリンタ部２００の各機構部の構成を示す断面図である。
【００２７】
スキャナ部１００の原稿給送ユニット１０１は原稿を先頭順に1枚ずつプラテンガラス１０２上へ給送し、原稿の読み取り動作終了後、プラテンガラス１０２上の原稿を排出トレイ１０３に排出するものである。原稿がプラテンガラス１０２上に搬送されると、ランプ１０４を点灯し、そして光学ユニット１０５の移動を開始させて、原稿を露光走査する。この時の原稿からの反射光は、ミラー１０６，１０７，１０８及びレンズ１０９によってＣＣＤ（Ｃｈａｒｇｅ Ｃｏｕｐｌｅｄ Ｄｅｖｉｃｅｓ）イメージセンサ(以下ＣＣＤと呼称する)１１０へ導かれる。このように、走査された原稿の画像はＣＣＤ１１０によって読み取られる。ＣＣＤ１１０から出力される画像データは、所定の処理が施された後、コントローラユニット４１０へ転送される。
【００２８】
プリンタ部２００各部の構成を動作と共に詳述すると、プリンタ部２００のレーザドライバ２２１は、レーザ発光部２０１を駆動するものであり、コントローラユニット４１０から出力された画像データに応じたレーザ光をレーザ発光部２０１に発光させる。該レーザ光は感光ドラム２０２に照射され、感光ドラム２０２にはレーザ光に応じた潜像が形成される。該感光ドラム２０２に形成された潜像の部分には、現像器２０３によって現像剤が付着される。
【００２９】
プリンタ部は用紙格納部として、それぞれ引き出し上の形状をしたカセット２０４、カセット２０５、カセット２０６、カセット２０７、そして、機外に露出しているトレイ上の手差し給紙段２０８を備えている。従来では手差し給紙段２０８を除き、カセットを引き出し、そのカセットに用紙を補給し、カセットを閉めることによって用紙補給を行なっている。
【００３０】
そして、レーザ光の照射開始と同期したタイミングで、カセット２０４、カセット２０５、カセット２０６、カセット２０７、手差し給紙段２０８のいずれかから記録紙を給紙し、転写部２０９へ搬送路２１０によって、感光ドラム２０２に付着された現像剤を記録紙に転写する。現像剤の載った記録紙は搬送ベルト２１１によって、定着部２１２に搬送され、定着部２１２の熱と圧力により現像剤は記像紙に定着される。その後、定着部２１２を通過した記録紙は搬送路２１３、搬送路２１４を通り、排出される。あるいは、印字面を反転して排出する場合には、搬送路２１５、搬送路２１６まで導かれ、そこから記録紙を逆方向に搬送し、搬送路２１７、搬送路２１４を通る。
【００３１】
また、両面記録が設定されている場合は、定着部２１２を通過したあと、搬送路２１５からフラッパ２１８によって、搬送路２１９に記録紙は導かれ、その後記録紙を逆方向に搬送し、フラッパ２１８によって、搬送路２１６、再給紙搬送路２１９へ導かれる。再給紙搬送路２１９へ導かれた記録紙は上述したタイミングで搬送路２１０を通り、転写部２０９へ給紙される。そして、搬送路２１４より排出された記録紙は排出ビン２２０へ搬送され積載される。
【００３２】
図３は、第１の実施の形態に係る画像形成装置のハードウェアシステム構成図である。
【００３３】
画像形成装置４００は、コントローラユニット４１０、表示部４２０、操作部４３０、プリンタユニット４４０、スキャナユニット４５０、ＩＣカードリーダ／ライタ４６０から構成される。
【００３４】
表示部４２０はＬＥＤ（Ｌｉｇｈｔ Ｅｍｉｔｔｉｎｇ Ｄｉｏｄｅ）や液晶ディスプレイを備え、オペレータの操作内容や装置の内部状態を表示する。操作部４３０はオペレータから操作を受け付ける。操作部４３０は、複数の操作ボタンを備えるだけでなく、表示部４２０とともにタッチディスプレイとして実現される場合もある。
【００３５】
プリンタユニット４４０は図２中のプリンタ部２００に対応し、画像データを紙媒体に印刷する。スキャナユニット４５０は図２中のスキャナ部１００に対応し、原稿を画像データとして読み込む。ＩＣカードリーダ／ライタ４６０は図１中の非接触ＩＣカードリーダ／ライタ３００に対応し、ＩＣカードからの情報読み取り、および、ＩＣカードへの情報書き込みを行う。
【００３６】
コントローラユニット４１０は、ＣＰＵ（Ｃｅｎｔｒａｌ Ｐｒｏｃｅｓｓｉｎｇ Ｕｎｉｔ）１０、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）１１、ＲＯＭ（Ｒｅａｄ Ｏｎｌｙ Ｍｅｍｏｒｙ）１２、ＲＡＭ（Ｒａｎｄｏｍ Ａｃｃｅｓｓ Ｍｅｍｏｒｙ）％３、ＨＤＤ（Ｈａｒｄ Ｄｉｓｋ Ｄｒｉｖｅ）１４、デバイス制御Ｉ／Ｆ １６、表示Ｉ／Ｆ１７、操作Ｉ／Ｆ１８、ネットワークＩ／Ｆ１９、ＩＣカードリーダ／ライタＩ／Ｆ１５から構成される。
【００３７】
ＣＰＵ１０は、画像形成装置４００に内蔵される制御プログラムの実行媒体であり、各Ｉ／Ｆ、記憶媒体のメモリ、専用チップなどを介して、コントローラユニットに接続されるデバイスの動作を制御する。ＡＳＩＣ１１は特定用途向けのチップであり、ＣＰＵ１０とは別に、画像処理などの特定の処理を担う。ＲＯＭ１２は不揮発性メモリ、ＲＡＭ１３は揮発性メモリ、ＨＤＤ１４は磁気ディスク等の記憶媒体である。ＲＯＭ１２またはＨＤＤ１４には制御プログラムなどが格納され、本制御プログラムは実行時にＲＡＭ１３に展開される。また、ＲＡＭ１３はＣＰＵ１０上で制御プログラムが実行する際のワークメモリとして動作し、印刷ジョブや印刷対象の画像データ等を格納する。またＨＤＤ１４にも印刷ジョブや印刷対象の画像データ等が格納される。なお、前記のＣＰＵ１０、ＡＳＩＣ１１、ＲＯＭ１２、ＲＡＭ１３およびＨＤＤ１４は、図３においてそれぞれ１つしか存在しないが、他の実施形態として複数から構成される場合もあり、それらの構成および接続形態は本実施例に限らない。
【００３８】
デバイス制御Ｉ／Ｆ１６は、コントローラユニット４１０に接続されるデバイス（プリンタユニット４４０、スキャナユニット４５０）との入出力を制御する。デバイス制御Ｉ／Ｆ１６は図１のように複数デバイスが接続可能なバス構造として実現されるだけでなく、複数のＩ／Ｆに分割されて、接続されるデバイスと１対１でＩ／Ｆが備えられる場合もある。表示Ｉ／Ｆ１７は表示部４２０への出力を司る。操作Ｉ／Ｆ１８は操作部４３０からの入力を司る。
【００３９】
ＩＣカードリーダ／ライタＩ／Ｆ１５は、接続されるＩＣカードリーダ／ライタ４６０の入出力を制御する。
【００４０】
画像形成装置４００は、外部Ｉ／ＦとしてネットワークＩ／Ｆ１９を持つ。画像形成装置４００は、ネットワークＩ／Ｆ１９を介してネットワークケーブル４７１でインターネットまたはイントラネットであるＬＡＮ／ＷＡＮ（Ｌｏｃａｌ Ａｒｅａ Ｎｅｔｗｏｒｋ／Ｗｉｄｅ Ａｒｅａ Ｎｅｔｗｏｒｋ）４７０に接続される（実際にはＬＡＮ／ＷＡＮを構成するハブやサーバ/クライアントに接続される）。ネットワークＩ／Ｆ１９は、ネットワークとのデータ入出力を司る。
【００４１】
図４は、第１の実施の形態に係る画像形成装置に内蔵される制御プログラムの構成を示すブロック図である。
【００４２】
図４中のＣＰＵ１０、および、ＣＰＵ１０に接続される各Ｉ／Ｆ１５−１９、ＡＳＩＣ１１、ＲＯＭ１２、ＲＡＭ１３、ＨＤＤ１４は、図３中のそれと同じものである。
【００４３】
本発明の１実施形態である画像形成装置に内蔵される制御プログラムは、ＲＡＭ１３を利用しながらＣＰＵ１０上で実行される。本制御プログラムは、表示制御部７、オペレータ操作解釈部８、ネットワークプロトコル処理部９、ジョブ制御部０、画像処理部２、プリンタ制御部３、スキャナ制御部４およびＩＣカードリーダ／ライタ制御部５から構成される。
【００４４】
表示制御部７は、ジョブ制御部０からジョブや装置の状態などの情報を受け取り、その情報を表示画面に反映させるためのコマンドを表示Ｉ／Ｆ１７に対して送信する。
【００４５】
オペレータ操作解釈部８は、操作Ｉ／Ｆ１８から操作コマンドを受信し、ジョブ制御部０に対してジョブ開始、中断、再開、終了等の様々な指示を行う。
【００４６】
ネットワークプロトコル処理部９はＴＣＰ／ＩＰ（Ｔｒａｎｓｍｉｓｓｉｏｎ Ｃｏｎｔｒｏｌ Ｐｒｏｔｏｃｏｌ／Ｉｎｔｅｒｎｅｔ Ｐｒｏｔｏｃｏｌ）等のプロトコル処理を行うことで、ネットワークＩ／Ｆ１９を介したデータ送受信を実現する。
【００４７】
ジョブ制御部０は、操作や外部から受信したデータをジョブとして受け取り、そのジョブを管理するだけでなく、ジョブの内容に応じて制御する各デバイスの動作を統括する。
【００４８】
画像処理部２は画像データを受け取り、ＡＳＩＣ１１に対するデータ送受信のタイミングやパラメータ設定を制御することで、画像の伸長圧縮や回転などの画像処理を行う。
【００４９】
プリンタ制御部３は、画像データを紙媒体に印刷できるようプリンタユニット４４０をデバイス制御Ｉ／Ｆ１６を介して制御する。スキャナ制御部４は、原稿を画像データとして読み込めるようスキャナユニット４５０をデバイス制御Ｉ／Ｆ１６を介して制御する。
【００５０】
図５は、表示部４２０および操作部４３０の構成図である。
【００５１】
５００はＬＣＤ（Ｌｉｑｕｉｄ Ｃｒｙｓｔａｌ Ｄｉｓｐｌａｙ）タッチパネルであり、主なモード設定、状況表示はここで行われる。５０１は０から９までの数値を入力するためのテンキーである。５０２はＩＤキーであり、装置が部門管理されている場合に部門番号と暗証モードを入力する際に使用されるものである。
【００５２】
５０３は設定されたモードをリセットするためのリセットキー、５０４は各モードについての説明画面を表示するためのガイドキー、５０５はユーザーモード画面に入るためのユーザーモードキー、５０６は割り込みコピーを行うための割り込みキーになっている。
【００５３】
５０７はコピー動作をスタートさせるためのスタートキー、５０８は実行中のコピージョブを中止させるためのストップキーである。
【００５４】
５０９はソフト電源スイッチであり、押下することによりＬＣＤ５００のバックライトが消え装置は低電力状態に落ちる。５１０は節電キーであり、これを押下することで節電状態に入り、再度押下することで節電状態から復帰する。
【００５５】
５１４はＬＣＤタッチパネルのコントラストを調整するための調整キーである。
【００５６】
５１５はカウンタ確認キーであり、このキーを押下することでそれまでに仕様したコピー枚数の集計を表示するカウント画面がＬＣＤ上に表示される。
【００５７】
５１６はジョブの実行中、画像メモリへの画像蓄積中を示すＬＥＤ、５１７がジャム、ドアオープン等装置がエラー状態にあることを示すエラーＬＥＤ、５１８は装置のメインスイッチがＯＮになっていることを示す電源ＬＥＤになっている。
【００５８】
図６は、「課題を解決するための手段」で述べた課題を説明するための図である。
【００５９】
６０１は図1で示した画像形成装置である。
【００６０】
本実施例では、処理対象となる原稿を上部原稿束処理装置を使用して順次読み出し、装置内の記憶装置に格納する。あるいは、ネットワークなどからプリント対象となるデータを入力し、同じく装置内の記憶装置に格納する。
【００６１】
このように格納されたデータに対して、ユーザＡ、ユーザＢのそれぞれ異なるジョブ設定権限とアクセス権限が設定され、管理されている。
【００６２】
本実施形の第一の形態において、６０２のアクセス権限、機能使用のための権限が無いユーザＡが、先に認証操作を行う。次に、６０３のアクセス権限、機能使用のための権限があるユーザＢに依頼を行う。ここでは、６０１の画像形成装置の近くに両ユーザが存在しているものとしている。６０３のユーザＢは、認証操作を行い、ジョブ実行のための文書・フォルダへのアクセスと、機能使用のためのジョブ設定を見届け、実際のジョブを開始する。
【００６３】
本実施形の第二の形態において、６０５のアクセス権限、機能使用のための権限があるユーザＢが先に認証操作を行う。続いて、ジョブ実行のための文書・フォルダへのアクセスと、機能使用のためのジョブ設定を行う。ここで、６０４のアクセス権限、機能使用のための権限が無いユーザＡに印刷のためのオペレーションを指示する。ユーザＡのオペレーションのための認証操作を見届け、実際のジョブを開始する。
【００６４】
図７は本実施例における第一の実施形の作業手順と操作イメージをフローで示した図である。
【００６５】
まず７０１、７０２に示すように、ユーザの認証を促され、ステップ７０３にてユーザＡが認証用のカードを用いて、ユーザ認証を行う。ここで未登録のユーザである場合は、ステップ７０１に戻る。認証が成功した場合、７０４に進み、７０５，７０６といった一部機能やフォルダに対してグレーアウトされた画面が表示される。７０５の例では、倍率設定、仕上げ設定、両面設定が制限され、７０６では、ボックス００以外へのアクセスが制限されている。
【００６６】
次に、７０７にてジョブの設定等を変更することなく、所定時間以内に、ユーザＢの認証があるか判定する。ジョブの設定や文書の選択等を行った場合のフローについては、後述する。所定時間以内に、ユーザＢの認証操作が行われた場合、ステップ７０８に進み、ユーザＢの権限で、文書・フォルダ・機能が有効化される。ステップ７０８に進む前にオペレータに権限委譲モードに移行するか否かを問い合わせるように構成してもよい。権限委譲された状態では、７０９、７１０に示すように、ユーザＢのアクセス権・機能使用権が設定されるため、すべてステップ７０４の制限が解除されている。ステップ７１１に進み、スタートキー押下で、権限はユーザＢ、課金対象はユーザＡとしてジョブが実行される。ステップ７１１において、リセットキーを押下された場合や、所定時間以内にスタートキーが押下されない場合には、ステップ７０１に戻るように構成しても良い。
【００６７】
一方で、ステップ７０７にて、所定時間以内に、ユーザＢの認証操作が行われなかった場合、ステップ７１２に進み、制限されたユーザＡの環境下での通常動作が行われる。
【００６８】
図８は本実施例における第二の実施形の作業手順と操作イメージをフローで示した図である。
【００６９】
まず８０１、８０２に示すように、ユーザの認証を促され、ステップ８０３にてユーザＢが認証用のカードを用いて、ユーザ認証を行う。ここで未登録のユーザである場合は、ステップ８０１に戻る。認証が成功した場合、８０４に進み、８０５，８０６といった機能やフォルダに対して制限されていない画面が表示される。
【００７０】
次に、８０７にてジョブの設定を行うため、フォルダや文書の選択、およびジョブ属性等を変更する。次にステップ８０８に進み、設定後、所定時間以内に、ユーザＡの認証があるか判定する。所定時間以内に、ユーザＡの認証操作が行われた場合、ステップ８０９に進み、ステップ８０７で設定された文書・フォルダ・機能以外のものが無効化される。ステップ８０９に進む前にオペレータに権限委譲モードに移行するか否かを問い合わせるように構成してもよい。権限委譲された状態では、８１０に示すように、ユーザＢの選択したものについてのみ、ユーザＡのアクセス権・機能使用権が設定される。ステップ８１１に進み、スタートキー押下で、権限はユーザＢ、課金対象はユーザＢとしてジョブが実行される。ステップ８１１において、リセットキーを押下された場合や、所定時間以内にスタートキーが押下されない場合には、ステップ８０１に戻るように構成しても良い。
【００７１】
一方で、ステップ８０８にて、所定時間以内に、ユーザＡの認証操作が行われなかった場合、ステップ８１２に進み、ユーザＢの環境下での通常動作が行われる。
【図面の簡単な説明】
【００７２】
【図１】本発明の画像形成装置の全体構成を示す全体図である。
【図２】本発明の画像形成装置のスキャナ部及びプリンタ部の各機構部の構成を示す概略断面図である。
【図３】本発明の第1実施形態である画像形成装置のハードウェアのシステム構成を示すブロック図である。
【図４】本発明の第1実施形態である画像形成装置に内蔵される制御プログラムの構成を示すブロック図である。
【図５】本発明の第1実施形態である画像形成装置の表示部および操作部の構成図である。
【図６】本発明の課題を説明するための図である。
【図７】本実施例における作業手順および操作イメージをフローで示した図である。
【図８】本実施例における作業手順および操作イメージをフローで示した図である。
【符号の説明】
【００７３】
１５０  画像形成装置
３００  非接触型ＩＣカードリーダ／ライタ
３５０  非接触型ＩＣカード
４００  画像形成装置
４１０  コントローラユニット
【図１】
2009012393.tif 000003
【図２】
2009012393.tif 000004
【図３】
2009012393.tif 000005
【図４】
2009012393.tif 000006
【図５】
2009012393.tif 000007
【図６】
2009012393.tif 000008
【図７】
2009012393.tif 000009
【図８】
2009012393.tif 000010